(57)【要約】【課題】放熱性の向上と、照明装置の重量増加の抑制とを図ることができる照明装置を提供することである。【解決手段】実施形態に係る照明装置は、本体部と、少なくとも一部が本体部の内部に設けられた保持部と、本体部の一方の端部側に設けられ、発光素子を有する光源部と、保持部の内部に設けられ、発光素子を制御する制御部と、制御部と、保持部、との間に設けられ、凹部を有する領域制御部と、凹部の内部であって、制御部と、保持部と、の間に設けられた第１の伝熱部と、を備えている。【選択図】図１
2013182776.tif 000002
【特許請求の範囲】
【請求項１】
本体部と、
少なくとも一部が前記本体部の内部に設けられた保持部と、
前記本体部の一方の端部側に設けられ、発光素子を有する光源部と、
前記保持部の内部に設けられ、前記発光素子を制御する制御部と、
前記制御部と、前記保持部、との間に設けられ、凹部を有する領域制御部と、
前記凹部の内部であって、前記制御部と、前記保持部と、の間に設けられた第１の伝熱部と、
を備えた照明装置。
【請求項２】
本体部と、
少なくとも一部が前記本体部の内部に設けられた保持部と、
前記本体部の一方の端部側に設けられ、発光素子を有する光源部と、
前記保持部の内部に設けられ、前記発光素子を制御する制御部と、
少なくとも一部が前記保持部に接した受熱部と、前記受熱部と前記本体部との間に設けられた熱伝導部と、を有した第２の伝熱部と、
を備え、
前記受熱部は、前記制御部の温度が高い領域に対峙して設けられた照明装置。
【請求項３】
少なくとも一部が前記保持部に接した受熱部と、前記受熱部と前記本体部との間に設けられた熱伝導部と、を有した第２の伝熱部をさらに備え、
前記受熱部は、前記保持部を介して、前記第１の伝熱部に対峙して設けられた請求項１記載の照明装置。
【請求項４】
前記領域制御部は、前記制御部の第１の領域を覆い、
前記第１の伝熱部は、前記制御部の第２の領域を覆い、
前記第２の領域は、前記発光素子を制御する際に前記第１の領域よりも温度が高くなる請求項１または３に記載の照明装置。
【請求項５】
前記第２の領域は、前記制御部の前記光源部側に設けられた請求項４記載の照明装置。
【発明の詳細な説明】
【技術分野】
【０００１】
後述する実施形態は、概ね、照明装置に関する。
【背景技術】
【０００２】
近年、光源に発光ダイオード（ＬＥＤ；Light Emitting Diode）を用いた照明装置が実用化されている。  
発光ダイオードを用いた照明装置は、寿命が長く、また、消費電力も少なくすることができるので、既存のフィラメント電球（白熱電球）などと置き換えられることが期待されている。  
このような照明装置においては、発光ダイオードに電力を供給する点灯回路が設けられた制御部において発生した熱を本体部を介して外部に放出している。そのため、制御部と本体部との間の空間に充填材料を充填して放熱性を向上させる技術が提案されている。  
しかしながら、充填材料を単に充填するようにすると、照明装置の重量が重くなりすぎるおそれがある。
【先行技術文献】
【特許文献】
【０００３】
【特許文献１】特開２０１２−２２８５５号公報
【特許文献２】特開２００５−３３７０００号公報
【発明の概要】
【発明が解決しようとする課題】
【０００４】
本発明が解決しようとする課題は、放熱性の向上と、照明装置の重量増加の抑制とを図ることができる照明装置を提供することである。
【課題を解決するための手段】
【０００５】
実施形態に係る照明装置は、本体部と、少なくとも一部が本体部の内部に設けられた保持部と、本体部の一方の端部側に設けられ、発光素子を有する光源部と、保持部の内部に設けられ、発光素子を制御する制御部と、制御部と、保持部、との間に設けられ、凹部を有する領域制御部と、凹部の内部であって、制御部と、保持部と、の間に設けられた第１の伝熱部と、を備えている。
【発明の効果】
【０００６】
本発明の実施形態によれば、放熱性の向上と、照明装置の重量増加の抑制とを図ることができる照明装置を提供することができる。
【図面の簡単な説明】
【０００７】
【図１】本実施形態に係る照明装置１を例示するための模式断面図である。
【図２】領域制御部９を例示するための模式図である。
【図３】伝熱部１４を例示するための模式斜視図である。
【図４】伝熱部８と伝熱部１４の効果を例示するための模式グラフ図である。
【発明を実施するための形態】
【０００８】
第１の発明は、本体部と、少なくとも一部が本体部の内部に設けられた保持部と、本体部の一方の端部側に設けられ、発光素子を有する光源部と、保持部の内部に設けられ、発光素子を制御する制御部と、制御部と、保持部、との間に設けられ、凹部を有する領域制御部と、凹部の内部であって、制御部と、保持部と、の間に設けられた第１の伝熱部と、を備えた照明装置である。  
この照明装置は、第１の伝熱部を備えているので、制御部において発生した熱を熱伝導により放熱することができる。また、領域制御部を備えているので、制御部の所望の領域に第１の伝熱部を形成することが容易となる。そのため、第１の伝熱部の重量の増加を抑制することができる。その結果、放熱性の向上と、照明装置の重量増加の抑制とを図ることができる。
【０００９】
第２の発明は、本体部と、少なくとも一部が本体部の内部に設けられた保持部と、本体部の一方の端部側に設けられ、発光素子を有する光源部と、保持部の内部に設けられ、発光素子を制御する制御部と、少なくとも一部が保持部に接した受熱部と、受熱部と本体部との間に設けられた熱伝導部と、を有した第２の伝熱部と、を備えた照明装置である。そして、受熱部は、制御部の温度が高い領域に対峙して設けられている。  
この照明装置は、第２の伝熱部を備えているので、制御部において発生した熱を熱伝導により放熱することができる。また、受熱部は、制御部の温度が高い領域に対峙して設けられているので、第２の伝熱部の重量の増加を抑制することができる。そのため、放熱性の向上と、照明装置の重量増加の抑制とを図ることができる。
【００１０】
第３の発明は、第１の発明において、少なくとも一部が保持部に接した受熱部と、受熱部と本体部との間に設けられた熱伝導部と、を有した第２の伝熱部をさらに備えた照明装置である。そして、受熱部は、保持部を介して、第１の伝熱部に対峙して設けられている。  この照明装置は、第２の伝熱部をさらに備えているので、制御部において発生した熱をより効率的に放熱することができる。また、受熱部は、保持部を介して、第１の伝熱部に対峙して設けられているので、第２の伝熱部の重量の増加を抑制することができる。
【００１１】
第４の発明は、第１または第３の発明において、領域制御部は、制御部の第１の領域を覆い、第１の伝熱部は、制御部の第２の領域を覆い、第２の領域は、発光素子を制御する際に第１の領域よりも温度が高くなる照明装置である。  
この照明装置は、温度が高くなる第２の領域に対して第１の伝熱部を設けているので、制御部において発生した熱をさらに効率的に放熱することができる。
【００１２】
第５の発明は、第４の発明において、第２の領域は、制御部の光源部側に設けられた照明装置である。  
制御部の光源部側は温度が高くなりやすいので、制御部の光源部側を第２の領域とすれば、制御部において発生した熱をさらに効率的に放熱することができる。
【００１３】
以下、図面を参照しつつ、実施の形態について例示をする。なお、各図面中、同様の構成要素には同一の符号を付して詳細な説明は適宜省略する。  
図１は、本実施形態に係る照明装置１を例示するための模式断面図である。  
図１に示すように、照明装置１には、本体部２、光源部３、カバー部４、保持部５、口金部６、制御部７、伝熱部８（第１の伝熱部の一例に相当する）、領域制御部９が設けられている。
【００１４】
本体部２は、例えば、口金部６側からカバー部４側に向かうにつれて軸方向に垂直な方向における断面積が漸増する様な形状とすることができる。ただし、これに限定されるわけではなく、例えば、光源部３や口金部６の大きさなどに応じて適宜変更することができる。この場合、本体部２の外形形状や寸法が、既存のフィラメント電球の外形形状や寸法と同じ様になっていれば、既存のフィラメント電球との置き換えが容易となる。
【００１５】
本体部２は、例えば、熱伝導率の高い材料から形成することができる。本体部２は、例えば、マグネシウム（Ｍｇ）、アルミニウム（Ａｌ）、銅（Ｃｕ）、これらの合金などの金属から形成することができる。ただし、これらに限定されるわけではなく、例えば、窒化アルミニウム（ＡｌＮ）、アルミナ（Ａｌ２Ｏ３）などの無機材料、高熱伝導性樹脂などの有機材料などから形成することもできる。  
また、本体部２の外壁に図示しない放熱フィンを複数設け、放熱性の向上を図ることができる。
【００１６】
本体部２の一方の端面２ａには凹部２ｂ１が設けられ、凹部２ｂ１の底面には凹部２ｂ２が設けられている。また、凹部２ｂ２の底面には凹部２ｂ３が設けられ、凹部２ｂ３の底面には孔２ｂ４が設けられている。すなわち、本体部２の中心を軸方向に貫通する段付きの孔２ｂが設けられている。
【００１７】
そして、凹部２ｂ１の底面には、取り付け板１０を介して光源部３が設けられている。すなわち、発光素子３ｂを有する光源部３は、本体部２の一方の端部側に設けられている。  取り付け板１０は、平板状を呈し、光源部３が撓むことを抑制するとともに、光源部３において発生した熱を本体部２に伝える。取り付け板１０は、例えば、アルミニウムなどの金属から形成することができる。ただし、取り付け板１０の材料は、これに限定されるわけではなく、ある程度の剛性を有し熱伝導率の高い材料とすることができる。
【００１８】
光源部３は、例えば、基板３ａと、基板３ａ上に設けられた発光素子３ｂとを有するものとすることができる。  
基板３ａは、樹脂を用いた基材の表面に配線パターンが形成されたものとすることができる。また、基板３ａは、熱伝導率の高い材料を用いた基材の表面に配線パターンが形成されたものとすることもできる。熱伝導率の高い材料としては、例えば、窒化アルミニウムなどの無機材料、高熱伝導性樹脂などの有機材料などを例示することができる。
【００１９】
発光素子３ｂは、例えば、発光ダイオード、有機発光ダイオード、レーザダイオードなどのいわゆる自発光素子などとすることができる。  
発光素子３ｂの照射面３ｃは、照明装置１の中心軸１ａに垂直となるように設けられ、主に、照明装置１の軸方向に向けて光を照射する。発光素子３ｂの数は特に限定されるわけではなく、照明装置１の用途や発光素子３ｂの大きさなどに応じて１個以上の発光素子３ｂが設けられるようにすればよい。複数の発光素子３ｂが設けられる場合には、マトリックス状、千鳥状、放射状などのように規則的な配設形態とすることもできるし、任意の配設形態とすることもできる。
【００２０】
発光素子３ｂが発光ダイオードである場合には、蛍光体を含む図示しない波長変換部を照射面３ｃ側に有したものとすることができる。  
この場合、蛍光体は、発光素子３ｂから照射された光の一部を吸収して、所定の波長を有する蛍光を発する。例えば、蛍光体は、発光素子３ｂから照射された青色の光の一部を吸収して、黄色の蛍光を発するものとすることができる。この場合、蛍光体に吸収されなかった青色の光と、蛍光体から発せられた黄色の光とが混色されて白色の光となる。
【００２１】
ただし、図示しない波長変換部を有する発光素子３ｂから照射される光の色は、照明装置１の用途などに応じて適宜変更することができる。例えば、図示しない波長変換部を有する発光素子３ｂから色温度が２８００Ｋ以上、３０００Ｋ以下（電球色）の光が照射されるようにすることもできる。
【００２２】
カバー部４は、光源部３の照射側に設けられ、透過部４ａと締結部４ｂとを有している。  透過部４ａは、照明装置１の照射方向に向けて突出する曲面を有している。透過部４ａは、光源部３から照射された光を透過させる。そのため、透過部４ａは、透光性を有する材料から形成されている。
【００２３】
この場合、照明装置１が屋外に設置されることを考慮すると、透過部４ａは透光性と耐候性を有する材料から形成することが好ましい。透光性と耐候性を有する材料としては、例えば、アクリル樹脂などを例示することができる。  
また、透過部４ａは、光を集光させたり、散乱させたりするための光学要素を有するものとすることもできる。例えば、透過部４ａは、レンズ、プリズム、凹凸などを有するものとすることができる。
【００２４】
締結部４ｂは、円環状を呈し、透過部４ａの周縁部から突出して設けられている。円環状の透過部４ａの内側には雌ネジ部４ａ１が設けられ、本体部２には雌ネジ部４ａ１に適合する雄ネジ部２ｄが設けられている。  
そのため、カバー部４の着脱を容易とすることができる。
【００２５】
また、締結部４ｂは、透過部４ａと一体に設けられている。例えば、透過部４ａに締結部４ｂを接着したり、透過部４ａと締結部４ｂとを一体に成形したりすることができる。  また、本体部２の端面２ａ１には溝が設けられ、溝の内部にシール部材１１が設けられている。カバー部４を本体部２に取り付けた際には、締結部４ｂの端面とシール部材１１とが接し、カバー部４と本体部２との間が密閉されるようになっている。そのため、照明装置１を屋外に設置した場合に、カバー部４と本体部２との間から照明装置１の内部に水などが侵入することを防止することができる。  
シール部材１１は、例えば、ゴムなどの弾性材料を用いて形成することができる。
【００２６】
保持部５は、段付きの筒状を呈し、カバー部４側から口金部６側に向かうにつれて軸方向に垂直な方向における断面積が段階的に小さくなる様な形状となっている。  
保持部５は、孔２ｂの内部に設けられ、凹部２ｂ２の底面に固定されている。また、保持部５は、軸方向に垂直な方向における断面積が小さい側が本体部２から突出している。なお、保持部５は、少なくとも一部が本体部２の内部に設けられておればよい。保持部５の両端は開口されており、内部に制御部７を保持している。
【００２７】
保持部５の材料には特に限定はないが、内部に制御部７を設けることを考慮すると絶縁材料から形成することが好ましい。保持部５が絶縁性を有するものとすれば、制御部７に対する絶縁性を確保することができる。  
保持部５の材料は、例えば、ポリブチレンテレフタレート（ＰＢＴ）樹脂などとすることができる。  
保持部５の本体部２から突出した側の端部には口金部６が設けられている。そのため、保持部５の一方の開口は口金部６により塞がれている。
【００２８】
また、保持部５の口金部６側の端部の内部には、封止部１３が設けられている。そのため、照明装置１を屋外に設置した場合に、保持部５と口金部６との間から照明装置１の内部に水などが侵入することを防止することができる。  
封止部１３は、例えば、シリコーン樹脂などを充填することで形成することができる。
【００２９】
また、保持部５を凹部２ｂ２の底面に固定した際には、保持部５の段付き部分の端面とシール部材１２とが接し、保持部５と本体部２との間が密閉されるようになっている。そのため、照明装置１を屋外に設置した場合に、保持部５と本体部２との間から照明装置１の内部に水などが侵入することを防止することができる。  
シール部材１２は、例えば、ゴムなどの弾性材料を用いて形成することができる。
【００３０】
口金部６は、フィラメント電球が装着されるソケットに取付可能な形状を有するものとすることができる。口金部６は、例えば、ＪＩＳ規格に定められているＥ２６形やＥ１７形などと同様の形状を有するものとすることができる。ただし、口金部６は、例示をした形状に限定されるわけではなく適宜変更することができる。例えば、口金部６は、蛍光ランプに使用されるピン形の端子を有するものとすることもできるし、引掛シーリングに使用されるＬ字形の端子を有するものとすることもできる。
【００３１】
図１に例示をした口金部６は、ネジ山を有する筒状のシェル部６ａと、シェル部６ａの本体部２側の端部とは反対側の端部に設けられたアイレット部６ｂとを有している。シェル部６ａ、アイレット部６ｂには、制御部７が電気的に接続されている。
【００３２】
制御部７は、保持部５の内部に形成された空間に設けられている。すなわち、発光素子３ｂを制御する制御部７は、保持部５の内部に設けられている。  
制御部７は、発光素子３ｂに電力を供給する点灯回路を有するものとすることができる。また、制御部７は、発光素子３ｂの調光を行うための調光回路をも有するものとすることができる。
【００３３】
ここで、カバー部４とシール部材１１、保持部５とシール部材１２、口金部６と封止部１３などにより、制御部７が設けられる空間は密閉されている。  
また、既存のフィラメント電球などとの置き換えを考慮すると、本体部２の外形形状や寸法を変更できない場合がある。  
そのため、制御部７の周囲にある程度の容積を有し、且つ密閉された空間が形成される場合がある。
【００３４】
この様な空間が形成されると、制御部７において発生した熱は輻射や対流により放熱されることになる。そのため、制御部７において発生した熱の放熱性が低くなり、発光素子３ｂに投入する電流を増加させることができなくなるなどの問題が生じるおそれがある。  そこで、制御部７と保持部５の内壁との間に伝熱部８を設け、制御部７において発生した熱を熱伝導により放熱するようにしている。この場合、伝熱部８は、後述する凹部９ｂの内部であって、制御部７と保持部５との間に設けられている。
【００３５】
伝熱部８の材料には特に限定がないが、絶縁性を有し、熱伝導率の高い材料とすることが好ましい。伝熱部８が絶縁性を有するものであれば、制御部７に対する絶縁性を確保することができる。  
絶縁性を有し、熱伝導率の高い材料としては、例えば、熱伝導率の高いセラミックスフィラーが添加された高伝熱性樹脂などを例示することができる。  
この場合、伝熱部８を形成する際の流動性や硬化性などをも考慮すれば、例えば、熱伝導率の高いセラミックスフィラーが添加されたシリコーン樹脂などとすることができる。
【００３６】
ここで、制御部７の全域と接するような伝熱部８を設けるようにすると、伝熱部８の体積が大きくなるので伝熱部８の重量、ひいては照明装置１の重量が重くなりすぎるおそれがある。また、コストアップの要因ともなる。  
そして、制御部７の温度には面内分布がある。すなわち、制御部７において電流が頻繁に流れる領域の温度は高くなり、電流が流れる頻度が低い領域の温度は低くなる。また、制御部７において温度が高くなる領域は、回路設計上、光源部３側に集中する傾向がある。
【００３７】
そのため、制御部７において温度が高くなる領域にのみ接する伝熱部８とすれば、放熱性の向上と、照明装置１の重量増加の抑制とを図ることができる。  
しかしながら、伝熱部８の形成方法を考慮すると、制御部７において温度が高くなる領域にのみ接する伝熱部８とすることは困難である。
【００３８】
例えば、放熱性を高めるためには、制御部７と伝熱部８の密着性、保持部５の内壁と伝熱部８の密着性を高める必要がある。この様な場合には、保持部５の内部に制御部７を保持させた後に、制御部７と保持部５の内壁との間に高伝熱性樹脂などを充填して伝熱部８を形成すればよい。
【００３９】
しかしながら、制御部７と保持部５の内壁との間に高伝熱性樹脂などを充填すれば、伝熱部８を設ける必要性の低い領域にも高伝熱性樹脂などが充填されることになる。そのため、照明装置１の重量増加の抑制が図れなくなるおそれがある。
【００４０】
そこで、本実施の形態においては、伝熱部８を形成する領域を制御する領域制御部９を設けるようにしている。  
図２は、領域制御部９を例示するための模式図である。  
図２においては、制御部７の光源部３側の一部の領域７ａ（第２の領域の一例に相当する）の温度が高くなり、これに隣接する領域７ｂ（第１の領域の一例に相当する）の温度はそれほど高くならないものとしている。
【００４１】
領域制御部９には、領域７ｂを覆う部分９ａと、部分９ａに隣接する凹部９ｂが設けられている。  
凹部９ｂには、領域７ａが露出している。また、部分９ａの一方の面９ａ１は制御部７と接し、面９ａ２は保持部５の内壁と接するようになっている。  
すなわち、凹部９ｂを有する領域制御部９は、制御部７と保持部５との間に設けられている。
【００４２】
そして、温度がそれほど高くない領域７ｂは領域制御部９に覆われ、領域７ｂと保持部５の内壁との間が領域制御部９により埋められるようになっている。  
一方、温度の高い領域７ａは凹部９ｂにより露出され、凹部９ｂの内部に高伝熱性樹脂などを充填することで領域７ａを覆う伝熱部８を形成できるようになっている。  
すなわち、領域７ａは、発光素子３ｂを制御する際に領域７ｂよりも温度が高くなる。そして、領域制御部９は制御部７の領域７ｂを覆い、伝熱部８は制御部７の領域７ａを覆っている。また、前述したように、領域７ａは、制御部７の光源部３側に設けられるものとすることができる。
【００４３】
領域制御部９は、伝熱部８を形成する領域を制御することの他に、制御部７の領域７ｂにおいて発生した熱を伝導したり、制御部７の領域７ｂの絶縁をしたりすることもできる。  また、領域制御部９の密度は、伝熱部８の密度よりも低くなっている。例えば、領域制御部９を中空構造とすることで、領域制御部９の密度を低くすることができる。この様にすれば、照明装置１の重量増加の抑制を図ることができる。
【００４４】
領域制御部９の材料には特に限定はないが、絶縁性を有し、密度の低いものとすることが好ましい。領域制御部９が絶縁性を有するものとすれば、制御部７に対する絶縁性を確保することができる。  
またさらに、熱伝導率の高い材料とすることがより好ましい。  
領域制御部９の材料は、例えば、ポリブチレンテレフタレート樹脂などとすることができる。
【００４５】
領域制御部９を設けるようにすれば、温度の高い領域７ａにのみ伝熱部８を形成することが容易となる。そのため、照明装置１の重量増加の抑制を図ることができる。また、温度がそれほど高くない領域７ｂにおける放熱性や絶縁性を向上させることもできる。
【００４６】
伝熱部８と封止部１３の形成は、例えば、以下のようにして行うことができる。  
まず、保持部５の光源部３側の開口から制御部７を挿入し、保持部５の内部に制御部７を保持させる。  
次に、保持部５の光源部３側の開口から領域制御部９を挿入し、領域制御部９を保持部５締結する。  
次に、保持部５の口金部６側の開口から充填ノズルを挿入し、凹部９ｂの内部に高伝熱性樹脂などを充填する。  
この際、領域制御部９により所定の領域にのみ伝熱部８を形成することができる。  
以上のようにして、伝熱部８を形成することができる。
【００４７】
次に、保持部５の端部に口金部６を取り付ける。  
次に、保持部５の光源部３側の開口から充填ノズルを挿入し、保持部５の口金部６側の端部の内部にシリコーン樹脂などを充填する。  
以上のようにして、封止部１３を形成することができる。
【００４８】
ここで、前述したように、既存のフィラメント電球などとの置き換えを考慮すると、本体部２の外形形状や寸法を変更できない場合がある。  
そのため、保持部５と本体部２との間に、ある程度の容積を有し、且つ密閉された空間が形成される場合がある。
【００４９】
この様な空間が形成されると、保持部５に伝達された熱は輻射や対流により放熱されることになる。そのため、制御部７において発生した熱の放熱性が低くなる。  
この場合、保持部５や本体部２の肉厚を厚くしたり、空間に充填材料を充填したりすれば、照明装置１の重量が重くなりすぎるおそれがある。
【００５０】
そこで、本実施の形態においては、保持部５と本体部２との間に伝熱部１４（第２の伝熱部の一例に相当する）を設けるようにしている。  
図３は、伝熱部１４を例示するための模式斜視図である。  
図３に示すように、伝熱部１４には、受熱部１４ａと、熱伝導部１４ｂとが設けられている。
【００５１】
受熱部１４ａの保持部５との接触部分は、面状を呈し、少なくとも一部が保持部５の外壁に接している。また、受熱部１４ａは、保持部５を介して伝熱部８と対峙している。すなわち、受熱部１４ａは、制御部７の温度が高い領域に対峙して設けられている。  
また、熱伝導部１４ｂは、板状を呈し、受熱部１４ａと本体部２との間に設けられている。そのため、温度の高い領域７ａにおいて発生した熱を、伝熱部８、保持部５、受熱部１４ａ、熱伝導部１４ｂを介して本体部２に伝達し、本体部２から外部に放出することができる。また、板状の熱伝導部１４ｂとすることで、伝熱部１４の軽量化、ひいては照明装置１の重量増加の抑制を図ることができる。
【００５２】
この場合、受熱部１４ａと熱伝導部１４ｂとを本体部２と一体に形成してもよいし、本体部２に熱伝導部１４ｂを接続し熱伝導部１４ｂに受熱部１４ａ接続してもよい。  
なお、受熱部１４ａと熱伝導部１４ｂとを本体部２と一体に形成すれば、伝熱部１４における熱伝達を効率的に行うことができる。  
受熱部１４ａと熱伝導部１４ｂの材料には特に限定がないが、熱伝導率の高い材料から形成することが好ましい。受熱部１４ａと熱伝導部１４ｂは、例えば、本体部２と同じ材料から形成することができる。例えば、伝熱部１４は、金属から形成されたものとすることができる。伝熱部１４を金属から形成すれば、伝熱部１４における熱伝達を効率的に行うことができる。
【００５３】
ここで、保持部５の周囲を囲むような受熱部とすれば重量が重くなる。そのため、本実施の形態においては、伝熱部８と対峙する領域に受熱部１４ａを設けるようにしている。また、受熱部１４ａの保持部５との接触部分は面状を呈しているので、伝わる熱の量を大きくすることができる。  
そのため、伝熱部１４の重量の増加を抑制しつつ、放熱性を向上させることができる。
【００５４】
図４は、伝熱部８と伝熱部１４の効果を例示するための模式グラフ図である。  
図４中のＡは伝熱部８と伝熱部１４が設けられていない場合、Ｂは伝熱部８が設けられた場合、Ｃは伝熱部８と伝熱部１４が設けられた場合である。  
なお、伝熱部８は領域制御部９とともに設けられた場合である。
【００５５】
図４中のＢに示すように、伝熱部８を設けるようにすれば制御部７の温度の高い領域７ａにおける温度を３０％程度減少させることができる。  
また、図４中のＣに示すように、伝熱部８と伝熱部１４を設けるようにすれば制御部７の温度の高い領域７ａにおける温度を３５％程度減少させることができる。
【００５６】
また、図４から分かるように、伝熱部８および伝熱部１４の少なくともいずれかを設けるようにすれば、制御部７の温度の高い領域７ａにおける温度を低下させることができる。ただし、図４中のＣに示すように、伝熱部８と伝熱部１４を設けるようにすれば、制御部７の温度の高い領域７ａにおける温度をさらに低下させることができる。  
この場合、伝熱部８と伝熱部１４を設けるようにしても、照明装置１の重量の増加量は僅かなものとすることができる。
【００５７】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５８】
１  照明装置、２  本体部、３  光源部、３ｂ  発光素子、４  カバー部、５  保持部、６  口金部、７  制御部、７ａ  領域、７ｂ  領域、８  伝熱部、９  領域制御部、９ａ  部分、９ａ１  面、９ｂ  凹部、１４  伝熱部、１４ａ  受熱部、１４ｂ  熱伝導部
【図１】
2013182776.tif 000003
【図２】
2013182776.tif 000004
【図３】
2013182776.tif 000005
【図４】
2013182776.tif 000006